(57)【要約】【課題】中心導体と外部導体の一括接続が可能であり、中心導体の導通不良、接着不良、電気的短絡などの不具合の発生を抑制でき、外部導体の導通不良も抑制し、さらにまた同軸ケーブル端末部の外部導体と中心導体の露出部の整列、固定に用いる部材点数を減らすことができ、健全な接続部を容易に得ることが可能な同軸ケーブルの接続構造及び接続方法を提供する。【解決手段】多芯同軸ケーブル２の各同軸ケーブル４の端末部を段剥きして中心導体５と外部導体７を露出させると共に、露出させた中心導体５と外部導体７を、配列部材１２に形成した配列溝１１に、両導体５，７が配列部材１２の表面から突出するように整列配置させ、配列部材１２に整列配置された中心導体５と外部導体７を、プリント基板３に形成された対応する電極部１４，１５にそれぞれ電気的に接続してなる。【選択図】図２
2010272400.tif 000002
【特許請求の範囲】
【請求項１】
中心導体の外周に、内部絶縁体、外部導体、外部絶縁体を順次形成してなる同軸ケーブルを複数本並列に配置した多芯同軸ケーブルを、プリント基板に接続する同軸ケーブルの接続構造であって、
前記多芯同軸ケーブルの各同軸ケーブルの端末部を段剥きして前記中心導体と前記外部導体を露出させると共に、露出させた前記中心導体と前記外部導体を、配列部材に形成した配列溝に、前記両導体が前記配列部材の表面から突出するように整列配置させ、前記配列部材に整列配置された前記中心導体と前記外部導体を、前記プリント基板に形成された対応する電極部にそれぞれ電気的に接続してなることを特徴とする同軸ケーブルの接続構造。
【請求項２】
前記配列部材が、可とう性を有する絶縁性シートからなる請求項１記載の同軸ケーブルの接続構造。
【請求項３】
前記配列溝に整列配置された前記中心導体と前記外部導体を、接着剤により前記配列部材に固定した請求項１記載の同軸ケーブルの接続構造。
【請求項４】
前記配列溝が、前記中心導体を収納する中心導体用配列溝と、前記外部導体を収納する外部導体用配列溝とからなる請求項１〜３いずれかに記載の同軸ケーブルの接続構造。
【請求項５】
前記中心導体用配列溝は、前記外部導体用配列溝よりもその開口部が狭く、深さが浅く形成される請求項４記載の同軸ケーブルの接続構造。
【請求項６】
前記外部導体用配列溝の表面に共通の導電性膜を形成すると共に、該導電性膜と前記各外部導体とを導電性接着剤で固定して、前記外部導体同士を電気的に接続するようにした請求項４または５記載の同軸ケーブルの接続構造。
【請求項７】
前記中心導体用配列溝と前記外部導体用配列溝との境界部分に、前記同軸ケーブルの長手方向と直交する方向にスリットを形成した請求項４〜６いずれかに記載の同軸ケーブルの接続構造。
【請求項８】
前記配列部材に整列配置された前記中心導体と前記外部導体とを、予め前記電極部にコーティングされた導電性を有する接続材により、前記プリント基板に形成された対応する前記電極部にそれぞれ電気的に接続した請求項１〜７いずれかに記載の同軸ケーブルの接続構造。
【請求項９】
前記配列部材に整列配置された前記中心導体と前記外部導体とを、異方導電性接着剤を用いて、前記プリント基板に形成された対応する前記電極部にそれぞれ電気的に接続した請求項１〜７いずれかに記載の同軸ケーブルの接続構造。
【請求項１０】
前記中心導体を前記電極部に電気的に接続する際に用いる異方導電性接着剤は、前記外部導体を前記電極部に電気的に接続する際に用いる異方導電性接着剤よりも、異方導電性接着剤に充填される導電性粒子の粒径が大きくされるか、あるいは、充填される導電性粒子の充填量が多くされる請求項９記載の同軸ケーブルの接続構造。
【請求項１１】
中心導体の外周に、内部絶縁体、外部導体、外部絶縁体を順次形成してなる同軸ケーブルを複数本並列に配置した多芯同軸ケーブルを、プリント基板に接続する同軸ケーブルの接続方法であって、
前記多芯同軸ケーブルの各同軸ケーブルの端末部を段剥きして前記中心導体と前記外部導体を露出させると共に、露出させた前記中心導体と前記外部導体を、配列部材に形成した配列溝に整列配置させ、前記配列部材に整列配置された前記中心導体と前記外部導体を、前記プリント基板に形成された対応する電極部にそれぞれ電気的に接続することを特徴とする同軸ケーブルの接続方法。
【請求項１２】
前記配列溝に整列配置された前記中心導体と前記外部導体とを、接着剤により前記配列部材に固定した後、前記中心導体と前記外部導体とを、前記プリント基板に形成された対応する前記電極部にそれぞれ電気的に接続する請求項１１記載の同軸ケーブルの接続方法。
【請求項１３】
前記配列部材に、前記中心導体を収納するための中心導体用配列溝と、前記外部導体を収納するための外部導体用配列溝とを形成し、前記中心導体用配列溝に前記中心導体を整列配置させ、前記外部導体用溝に前記外部導体を整列配置させる請求項１１または１２記載の同軸ケーブルの接続方法。
【請求項１４】
前記外部導体用配列溝の表面に共通の導電性膜を形成すると共に、該導電性膜と前記各外部導体とを導電性接着剤で固定して、前記外部導体同士を電気的に接続するようにした請求項１３記載の同軸ケーブルの接続方法。
【発明の詳細な説明】
【技術分野】
【０００１】
本発明は、複数本の同軸ケーブルを並列に配置した多芯同軸ケーブルとプリント基板とを接続する同軸ケーブルの接続構造及び接続方法に関するものである。
【背景技術】
【０００２】
近年、携帯電話やノートパソコンなどの電子情報機器、および超音波診断装置や内視鏡などの医療機器分野では、機器の小型軽量化と共に、高機能化、すなわち情報画像の高精細化および高速化が要求されている。
【０００３】
これに伴って、機器内部や機器を構成する部品（アッセンブリ）間の接続に用いられる同軸ケーブルも細径化が進み、その一方で、使用する同軸ケーブルの本数が増加している。
【０００４】
機器の小型軽量化と高機能化を両立させるためには、同軸ケーブルの実装密度を高めることが必要であり、ケーブル端末部のサイズの小型化と共に、プリント基板に形成された電極部との接続における狭ピッチ接続が必要不可欠になっている。
【０００５】
同軸ケーブルとしては、複数本の細線を撚り合わせた撚り線からなる中心導体の外周に、内部絶縁体、外部導体、外部絶縁体を順次形成したものが一般に使用されている。外部導体は、例えば、複数本の金属細線を内部絶縁体の外周にらせん巻きすることにより構成される。
【０００６】
同軸ケーブルの中心導体とプリント基板の電極部との接続においては、並列に配置された複数本の同軸ケーブルの端末を段剥きすることによって中心導体を露出させ、各中心導体をプリント基板に形成された対応する電極部に電気的に接続することが行われる。
【０００７】
同軸ケーブルをプリント基板に接続する方法としては、個々の中心導体を個別に接続する方法と一括接続する方法とがあり、プリント基板の電極部に中心導体をはんだ付けなどにより直接、もしくは接続部品を介して間接的に接続する方法が用いられている。
【０００８】
しかして、プリント基板の電極部に中心導体を確実に接続するために従来から一般的に行われている方法は、依然として中心導体を一本ずつはんだ付けにより直接接続する方法である。しかも、その際のはんだ付け作業は、はんだごてを用いた手作業により行われている。この接続方法では、中心導体を一本ずつ確認しながらはんだ付けするため、接続ミスが少なく、確実な接続が可能であるが、接続品質は作業者の熟練度に依存する。
【０００９】
このような手作業によるはんだ付け作業では、複数本の中心導体を狭ピッチ接続する場合、はんだ接続が困難になる。具体的には、複数本の同軸ケーブル夫々の中心導体に対応して形成されたプリント基板の隣接する電極部間に、溶融したはんだが付着する電気的なブリッジが形成されたり、あるいは、はんだの濡れ不足が原因で接続不良を起こす場合があり、作業効率が低下するおそれがある。
【００１０】
また、同軸ケーブルの外部導体も、中心導体と同様に同軸ケーブルの端末を段剥きすることによって外部導体を露出させ、プリント基板に形成された対応する電極部に接続される。
【００１１】
外部導体の接続方法としては、露出した複数の外部導体部分に、並列に配置された同軸ケーブルを横断するように、外部導体の上下面もしくはどちらか片面にグランドバーを設置し、各外部導体とグランドバーを供給したはんだなどを溶融させて電気的に接続する。その後、グランドバーとプリント基板の対応する電極部とをはんだ付けなどにより接続する。このとき、グランドバーには、はんだを溶融するための熱を加える。また、比較的剛性が高いグランドバーを用い、プリント基板の対応する電極部とのはんだ付けを容易にするための加圧も行われている。
【００１２】
これに関連して、以下の先行技術文献には、並列に配置された複数本の同軸ケーブルの各中心導体をプリント基板の対応する電極部に狭ピッチで一括接続する方法が開示されている。
【００１３】
特許文献１には、並列に配置された複数本の同軸ケーブルよりなる多芯同軸ケーブルの端末部から取り出した複数本の同軸ケーブルを夫々収容、配列する溝を形成したリジッドな基台を用い、この基台に前記端末部の同軸ケーブルを夫々配列すると共に接着剤により固定した後、同軸ケーブルの中心導体と外部導体とが同一平面で夫々露出されるように基台ごと研磨し、この研磨により露出された中心導体と外部導体の導体面に異方性導電膜を貼り付け、この異方性導電膜を介して前記各導体面をプリント基板に相当する回路パターン部材の電極部に夫々熱圧着し、これにより接続部位を一括接続する方法が開示されている。
【００１４】
また、特許文献２には、並列に配置された複数の同軸ケーブルよりなる多芯同軸ケーブルの端末部において、中心導体と外部導体が夫々露出しており、この端末部の外部導体露出部の両面にグランドバーを接続し、端末部に配置した中心導体位置決め用の絶縁層と導電層が形成された第１のフィルムの表面に設けられた絶縁層に前記中心導体を接続部材で接続すると共に、外部導体に接続したグランドバーを第１のフィルムに形成された開口部に位置合せして第１のフィルムの導電層と接続した後に、中心導体の第１のフィルムと対向する面と反対側の面に中心導体位置決め用の第２のフィルムを設置して中心導体と接続し、中心導体と外部導体に接続したグランドバーの導体面を、プリント基板に相当する機器の回路に一括接続する方法が開示されている。
【００１５】
また、特許文献３に開示された接続方法は以下の通りである。並列に配置された複数の同軸ケーブルよりなる多芯同軸ケーブルの端末部において中心導体と外部導体が夫々露出しており、この端末部を覆うように中心導体整列板が配置され、中心導体配列板の表面に一定間隔で形成された中心導体収納溝に中心導体が整列状態で保持される。前記中心導体収納溝内には、厚さ方向に貫通孔が形成され、貫通孔に充填した導電性ペーストが中心導体の露出部と接続されている。また、中心導体整列板の多芯同軸ケーブル端末部の外部導体部に対応する位置には、スリットが形成されており、このスリットに充填した導電性ペーストが外部導体の露出部と接続されている。この端末部の中心導体整列板と対向している面以外の表面はカバー層で覆われている。露出した中心導体と外部導体のプリント基板の夫々対応する電極部への接続は、前記貫通孔とスリットに充填した導電性ペーストの露出面をプリント基板の電極部に接触、溶融することで一括接続する。
【先行技術文献】
【特許文献】
【００１６】
【特許文献１】特開２００３−１４３７２８号公報
【特許文献２】特開２００８−２１０５６３号公報
【特許文献３】特開２００３−１１２６９９号公報
【発明の概要】
【発明が解決しようとする課題】
【００１７】
上述したように、プリント基板の電極部に直接中心導体を手作業によりはんだ付けする方法では、中心導体を１本ずつ確認しながらはんだ付けを行うため、確実な接続ができる一方で、中心導体の狭ピッチ一括接続には対応することが困難であり、電子情報機器や医療機器の高精細化の要求から導体本数が増加した場合に、それに比例して接続に要する作業時間も増加してしまうという問題がある。
【００１８】
また、グランドバーを介した外部導体の接続も手作業で行われることが一般的であるため、グランドバーの加圧が不均一になり、特にグランドバーのエッジ部に過大な荷重が加わる場合がある。また、はんだの融点が高い（例えば、Ｓｎ−３Ａｇ−０．５Ｃｕ（質量％）はんだの融点は２１８℃）ため、はんだ接続時の温度は３００℃以上になる場合もあり、この熱によって内部絶縁体が変形し易くなっている。したがって、グランドバーのエッジ部直下の内部絶縁体と中心導体が押し潰されるように変形してしまい、溶融したはんだが外部導体から流出して中心導体まで到達し、外部導体と中心導体間、あるいは中心導体間での電気的短絡不良を起こす場合がある。また、内部絶縁体や中心導体が変形すると、同軸ケーブルの断面における誘電率に差異が生じ、同軸ケーブルの電気特性が劣化する場合がある。
【００１９】
同軸ケーブルの高密度実装によって、ケーブル端末部のサイズもより縮小することが必要になっており、外部導体露出部と中心導体露出部との間に形成される内部絶縁体の領域も狭くなってきている。そのため、外部導体と中心導体間の溶融はんだによる電気的短絡がより発生しやすくなっている。さらに、高周波特性向上のため、内部絶縁体を発泡樹脂で形成した同軸ケーブルにおいては、ケーブル半径方向の圧縮負荷に対してより変形しやすくなっており、上述の問題が発生しやすい。
【００２０】
また、特許文献１に記載の接続方法では、同軸ケーブルの中心導体と外部導体とが同一平面で露出されるように基台ごと研磨した際に、中心導体および外部導体を構成する撚られた状態にある複数本の金属細線がほぐれ、ほぐれた金属細線が研磨面から飛び出すことによって中心導体間、あるいは中心導体と外部導体間で短絡が生じ、同軸ケーブルの電気的性能を損なうという問題がある。
【００２１】
特許文献２に記載の接続方法では、中心導体と外部導体の一括接続が可能であり、同軸ケーブルの外部導体と中心導体の露出部を含む端末部全体が第１のフィルムで覆われているため、外部導体を接続するために加圧した場合でも、圧力が分散し、グランドバーのエッジ部に極端に過大な荷重が加わらなくなる。
【００２２】
しかし、特許文献２に記載の接続方法では、中心導体と外部導体の位置決めと、これらを一括接続するために用いる部材点数が多いので、製造工程が増加する問題がある。さらに、外部導体と中心導体を露出したケーブル端末部の対向する両面（例えば上下面）に第１のフィルムと第２のフィルムを形成しているので、これらフィルムとケーブル端末部を接続する際のツール領域を設ける必要がある。そのため、ケーブル端末部のサイズがその分大きくなり、接続部の小型化を阻害するおそれがある。
【００２３】
さらに、中心導体は第１のフィルム表面の平坦な面に絶縁性の接続部材で接続されるので、絶縁部材が並列配置された中心導体間に流出するか、あるいは中心導体表面に濡れ上がることによって、中心導体の表面を絶縁部材が覆い、中心導体を機器の回路に接続する場合の導電性が損なわれる問題がある。
【００２４】
また、特許文献２に記載の接続方法では、第２のフィルムに形成された開口部内で、中心導体を対応する電極部に接続する。中心導体と回路に形成した電極部間には、第２のフィルムの厚さ分のギャップが存在する。そのため、中心導体と電極部との接続に用いる接続部材の量が少ない場合には、ギャップを接続部材が埋めることができず電気的導通がとれなくなり、接続部材の量が多い場合では、並列に配置された中心導体間で接続部材がブリッジしてしまい、電気的短絡が生じる問題がある。
【００２５】
また、特許文献３に記載の接続方法によれば、中心導体の露出部とプリント基板の電極部との接続を、中心導体配列板表面に形成した中心導体収納溝内の貫通孔に充填した導電性ペーストで行っている。端末接続部の小型化に対応するため、中心導体径が微細化し、さらに導体接続ピッチが狭くなると、これに対応して前記貫通孔の幅（径）も狭くなるため、貫通孔内部に安定して導電性ペーストを充填することが困難になり、未充填部分が生じる。これによって、中心導体と電極部との電気的導通がとれなくなるおそれがあるという問題がある。
【００２６】
そこで、本発明の目的は、中心導体の狭ピッチ接続と、中心導体と外部導体の一括接続が可能であり、接続に際して、中心導体の導通不良、接着不良、電気的短絡などの不具合の発生を抑制でき、さらに外部導体の導通不良をも抑制し、さらにまた同軸ケーブル端末部の外部導体と中心導体の露出部の整列、固定に用いる部材点数を減らすことができ、健全な接続部を容易に得ることが可能な同軸ケーブルの接続構造及び接続方法を提供することにある。
【課題を解決するための手段】
【００２７】
本発明は上記目的を達成するために創案されたものであり、請求項１の発明は、中心導体の外周に、内部絶縁体、外部導体、外部絶縁体を順次形成してなる同軸ケーブルを複数本並列に配置した多芯同軸ケーブルを、プリント基板に接続する同軸ケーブルの接続構造であって、前記多芯同軸ケーブルの各同軸ケーブルの端末部を段剥きして前記中心導体と前記外部導体を露出させると共に、露出させた前記中心導体と前記外部導体を、配列部材に形成した配列溝に、前記両導体が前記配列部材の表面から突出するように整列配置させ、前記配列部材に整列配置された前記中心導体と前記外部導体を、前記プリント基板に形成された対応する電極部にそれぞれ電気的に接続してなる同軸ケーブルの接続構造である。
【００２８】
前記配列部材が、可とう性を有する絶縁性シートからなってもよい。
【００２９】
前記配列溝に整列配置された前記中心導体と前記外部導体を、接着剤により前記配列部材に固定してもよい。
【００３０】
前記配列溝が、前記中心導体を収納する中心導体用配列溝と、前記外部導体を収納する外部導体用配列溝とからなってもよい。
【００３１】
前記中心導体用配列溝は、前記外部導体用配列溝よりもその開口部が狭く、深さが浅く形成されてもよい。
【００３２】
前記外部導体用配列溝の表面に共通の導電性膜を形成すると共に、該導電性膜と前記各外部導体とを導電性接着剤で固定して、前記外部導体同士を電気的に接続するようにしてもよい。
【００３３】
前記中心導体用配列溝と前記外部導体用配列溝との境界部分に、前記同軸ケーブルの長手方向と直交する方向にスリットを形成してもよい。
【００３４】
前記配列部材に整列配置された前記中心導体と前記外部導体とを、予め前記電極部にコーティングされた導電性を有する接続材により、前記プリント基板に形成された対応する前記電極部にそれぞれ電気的に接続してもよい。
【００３５】
前記配列部材に整列配置された前記中心導体と前記外部導体とを、異方導電性接着剤を用いて、前記プリント基板に形成された対応する前記電極部にそれぞれ電気的に接続してもよい。
【００３６】
前記中心導体を前記電極部に電気的に接続する際に用いる異方導電性接着剤は、前記外部導体を前記電極部に電気的に接続する際に用いる異方導電性接着剤よりも、異方導電性接着剤に充填される導電性粒子の粒径が大きくされるか、あるいは、充填される導電性粒子の充填量が多くされてもよい。
【００３７】
また、本発明は、中心導体の外周に、内部絶縁体、外部導体、外部絶縁体を順次形成してなる同軸ケーブルを複数本並列に配置した多芯同軸ケーブルを、プリント基板に接続する同軸ケーブルの接続方法であって、前記多芯同軸ケーブルの各同軸ケーブルの端末部を段剥きして前記中心導体と前記外部導体を露出させると共に、露出させた前記中心導体と前記外部導体を、配列部材に形成した配列溝に整列配置させ、前記配列部材に整列配置された前記中心導体と前記外部導体を、前記プリント基板に形成された対応する電極部にそれぞれ電気的に接続する同軸ケーブルの接続方法である。
【００３８】
前記配列溝に整列配置された前記中心導体と前記外部導体とを、接着剤により前記配列部材に固定した後、前記中心導体と前記外部導体とを、前記プリント基板に形成された対応する前記電極部にそれぞれ電気的に接続してもよい。
【００３９】
前記配列部材に、前記中心導体を収納するための中心導体用配列溝と、前記外部導体を収納するための外部導体用配列溝とを形成し、前記中心導体用配列溝に前記中心導体を整列配置させ、前記外部導体用溝に前記外部導体を整列配置させてもよい。
【００４０】
前記外部導体用配列溝の表面に共通の導電性膜を形成すると共に、該導電性膜と前記各外部導体とを導電性接着剤で固定して、前記外部導体同士を電気的に接続するようにしてもよい。
【発明の効果】
【００４１】
本発明によれば、中心導体の狭ピッチ接続と、中心導体と外部導体の一括接続が可能であり、接続に際して、中心導体の導通不良、接着不良、電気的短絡などの不具合の発生を抑制でき、さらに外部導体の導通不良をも抑制し、さらにまた同軸ケーブル端末部の外部導体と中心導体の露出部の整列、固定に用いる部材点数を減らすことができ、健全な接続部を容易に得ることが可能な同軸ケーブルの接続構造及び接続方法を提供できる。
【図面の簡単な説明】
【００４２】
【図１】本発明の一実施の形態に係る同軸ケーブルの接続構造を示す図であり、（ａ）は平面図、（ｂ）はその透視平面図である。
【図２】（ａ）は図１（ａ）の２Ａ−２Ａ線断面図、図２（ｂ）は２Ｂ−２Ｂ線断面図、図２（ｃ）は２Ｃ−２Ｃ線断面図である。
【図３】本発明の一実施の形態に係る同軸ケーブルの接続構造に用いる同軸ケーブルを示す横断面図である。
【図４】本発明の一実施の形態に係る同軸ケーブルの接続構造に用いる配列部材の斜視図である。
【図５】図４の配列部材に同軸ケーブルの中心導体と外部導体を配置した図であり、（ａ）は配列部材の表面側から見た斜視図、（ｂ）は配列部材の裏面側から見た斜視図である。
【図６】本発明の一実施の形態に係る同軸ケーブルの接続方法のフローチャートである。
【図７】本発明の一実施の形態に係る同軸ケーブルの接続構造を示す図であり、接続材として異方導電性接着剤を用いた場合の中心導体と中心導体用電極の接続状況を示す断面図である。
【図８】（ａ）は本発明の一実施の形態に係る同軸ケーブルの接続構造に用いる配列部材の斜視図であり、（ｂ）はその配列部材に同軸ケーブルの中心導体と外部導体を配置した斜視図、（ｃ）はその８Ｃ−８Ｃ線断面図である。
【図９】本発明の一実施の形態に係る同軸ケーブルの接続構造を示す断面図である。
【図１０】本発明の一実施の形態に係る同軸ケーブルの接続構造に用いる配列部材の斜視図である。
【図１１】図１０の配列部材にスリットを形成した場合を示す図であり、（ａ）は配列部材の両端部にスリットを形成した場合の斜視図、（ｂ）は配列部材の両端部と中央部にスリットを形成した場合の斜視図である。
【図１２】本発明の一実施の形態に係る同軸ケーブルの接続構造を示す図であり、（ａ）は配列部材の斜視図、（ｂ）は配列部材に同軸ケーブルの中心導体と外部導体を配置した斜視図、（ｃ）は当該配列部材を用いた同軸ケーブルの接続構造の断面図である。
【図１３】本発明の一実施の形態に係る同軸ケーブルの接続構造に用いる配列部材に、同軸ケーブルの中心導体と外部導体を配置した斜視図である。
【発明を実施するための形態】
【００４３】
以下、本発明の好適な実施の形態を添付図面にしたがって説明する。
【００４４】
図１（ａ）は、本実施の形態に係る同軸ケーブルの接続構造の平面図であり、図１（ｂ）はその透視平面図、図２（ａ）はその２Ａ−２Ａ線断面図、図２（ｂ）はその２Ｂ−２Ｂ線断面図、図２（ｃ）はその２Ｃ−２Ｃ線断面図である。
【００４５】
図１，２に示すように、同軸ケーブルの接続構造１は、多芯同軸ケーブル２をプリント基板３に接続する接続構造である。多芯同軸ケーブル２は、複数の同軸ケーブル４を並列に配置し、これら各同軸ケーブル４を束ねて形成される。
【００４６】
同軸ケーブル４は、図３に示すように、その中心に配置された中心導体５と、その外周に順に形成された内部絶縁体６、外部導体７、および外部絶縁体８とによって構成されている。
【００４７】
中心導体５は、複数の金属細線９が複数（図３では７本）撚り合わされて一体の中心導体５を構成している。外部導体７は、複数の金属細線１０を内部絶縁体６の外周にらせん状に巻きつけた構造となっている。なお、図１（ａ），（ｂ）および図２（ａ）では、同軸ケーブル４を構成する中心導体５と外部導体７をそれぞれ一体にした形状で示してある。
【００４８】
同軸ケーブル４の端部４ａでは、各同軸ケーブル４の端末部が段剥きされ、中心導体５、内部絶縁体６、および外部導体７が外部絶縁体８から露出するようにされる。
【００４９】
同軸ケーブル４の端部４ａには、図４に示すような電気絶縁性の配列部材１２が配置されている。
【００５０】
配列部材１２としては、可とう性を有する薄いシート状、あるいはフィルム状の絶縁性を有する樹脂材料を用いる。具体的には、配列部材１２は、例えば、耐熱性を有するポリイミド樹脂又はポリテトラフルオロエチレン樹脂製の絶縁性シートであって、面圧を加えられたときに撓みを生じやすい可とう性の絶縁性シートが用いられる。配列部材１２を耐熱性とするのは、接続部を形成する際に絶縁性シートに加えられる加熱によるダメージを抑制するためである。
【００５１】
図４に示すように、配列部材１２の表面１２ａには、同軸ケーブル４の端末部を収納するための断面形状がＶ字形状の配列溝１１が形成されている。配列溝１１は、中心導体５を収納するための中心導体用配列溝１１ａと、外部導体７を収納するための外部導体用配列溝１１ｂとからなる。
【００５２】
中心導体用配列溝１１ａ、外部導体用配列溝１１ｂは、中心導体５、外部導体７を収納したときに、両導体５，７が配列部材１２の表面１２ａから突出するように、すなわち、両導体５，７を部分的に収納するように形成される。
【００５３】
同軸ケーブル４の端部４ａにおいて、露出した中心導体５の部分と外部導体７の部分の外形サイズ（外径）は異なっており、図３に示したように、外部導体７の部分の外形サイズＤｄが中心導体５の部分の外形サイズＤａより大きくなっている。そこで、本実施の形態では、この外形サイズの違いに対応して、中心導体用配列溝１１ａの開口幅と深さを、外部導体用配列溝１１ｂより狭くかつ浅く形成した。
【００５４】
中心導体用配列溝１１ａと外部導体用配列溝１１ｂは、中心導体５と外部導体７の配列（配列ピッチ）に対応して、夫々が並列して形成される。中心導体５と外部導体７とが同じ間隔で配置されている場合は、配列溝１１ａ，１１ｂも中心導体５や外部導体７と同じ間隔で形成される。
【００５５】
本実施の形態では、配列溝１１の断面形状をＶ字形状としたが、これに限らず、これ以外の形状、例えば、半円形や台形であってもよく、中心導体５と外部導体７を少なくとも部分的に収納し、配列した状態で固定可能であれば、どのような形状であってもよい。
【００５６】
中心導体５と外部導体７は、図５（ａ），（ｂ）に示すように、夫々が配列部材１２に形成されている中心導体用配列溝１１ａ、外部導体用配列溝１１ｂに部分的に収納され、図２に示すように、接着剤１３ａ，１３ｂによって配列部材１２に固定される。これによって、複数の中心導体５と外部導体７は、並列方向に整列した状態で配列部材１２に保持される。
【００５７】
接着剤１３ａ，１３ｂとしては、非導電性、導電性どちらの特性を有する材料を用いてもよい。接着剤１３ａ，１３ｂとして非導電性の接着剤（例えばエポキシ樹脂、シリコーン樹脂）を用いる場合は、両導体５，７のプリント基板３と対向する表面（配列部材１２の表面１２ａ側の表面）には、接着剤１３ａ，１３ｂが塗布されないようにする。接着剤１３ａ，１３ｂとして導電性接着剤（例えば銀やニッケルなどの金属粒子充填エポキシ樹脂）を用いる場合は、接着剤１３ａ，１３ｂが中心導体５や外部導体７の表面すべてを覆った場合でも、プリント基板３との接続が可能となる。したがって、接着剤１３ａ，１３ｂとして導電性接着剤を用いることで、中心導体５や外部導体７の配列溝１１ａ，１１ｂへの接着固定作業の制約を少なくすることができ、作業効率を向上できる。本実施の形態では、熱硬化型の接着剤１３ａ，１３ｂを用いる場合を説明する。
【００５８】
このように、本実施の形態では、中心導体５と外部導体７が夫々配列部材１２に形成した配列溝１１ａ，１１ｂによって整列、固定された状態でプリント基板３との接続を実施する。
【００５９】
配列部材１２に固定された中心導体５と外部導体７は、配列部材１２の表面１２ａをプリント基板３に対向させた状態で、プリント基板３に形成された中心導体用電極部１４および外部導体用電極部１５に、接続材１６，１７によってそれぞれ接続される。これにより、中心導体５とプリント基板３の中心導体用電極部１４、外部導体７とプリント基板３の外部導体用電極部１５とがそれぞれ電気的に接続される。
【００６０】
より具体的には、中心導体５と外部導体７が整列固定された配列部材１２の表面１２ａをプリント基板３と対向させ、中心導体５と外部導体７とを対応する電極部１４，１５と位置合せして設置する。この状態で中心導体５と中心導体用電極部１４の接続部、及び外部導体７と外部導体用電極部１５の接続部を加熱、もしくは加熱と共に加圧（例えば、配列部材１２をプリント基板３側に加圧）することによって、接続材１６，１７を介して、中心導体５と中心導体用電極部１４、外部導体７と外部導体用電極部１５とをそれぞれ電気的に接続する。
【００６１】
接続材１６，１７は、導電性を有するはんだなどの材料からなり、電極部１４，１５の表面に、あらかじめ印刷法またはディスペンス法によってコーティングしておくとよい。接続材１６，１７としては、はんだの他に、例えば銀（Ａｇ）粒子やニッケル（Ｎｉ）粒子、はんだ粒子などをエポキシ樹脂などに充填した導電性接着剤を用いることができる。
【００６２】
中心導体５は、夫々が個別に対応する中心導体用電極部１４に接続され、個々に絶縁する必要があるため、中心導体５と中心導体用電極部１４は一対ずつ接続材１６で接続される（図２（ｂ）参照）。
【００６３】
外部導体７は、すべてが同一電位（接地電位）とされるため、個別に絶縁する必要がない。よって、プリント基板３に共通の外部導体用電極部１５を形成し、複数の外部導体７を並列方向に繋いだ形で接続材１７によって接続する（図２（ｃ）参照）。
【００６４】
次に、本実施の形態に係る同軸ケーブルの接続方法を図６を用いて説明する。
【００６５】
図６に示すように、まず、多芯同軸ケーブル２の各同軸ケーブル４の端末部を段剥きして、中心導体５と外部導体７をそれぞれ露出させる（ステップＳ１）。
【００６６】
この段剥きは、切削用金型やレーザー（炭酸ガスレーザー、ＹＡＧレーザーなど）を用いて内部絶縁体６、外部絶縁体８に切り込みを入れ、内部絶縁体６および外部絶縁体８の一部をそれぞれ同軸ケーブル４の端部４ａから除去することにより行う。
【００６７】
その後、配列部材１２の中心導体用配列溝１１ａと外部導体用配列溝１１ｂの内部それぞれに接着剤１３ａ，１３ｂを塗布し（ステップＳ２）、配列溝１１ａ，１１ｂに中心導体５と外部導体７を整列配置し、収納する（ステップＳ３）。
【００６８】
配列部材１２に中心導体５と外部導体７を整列配置した後、加熱によって、接着剤１３ａ，１３ｂを硬化させ、配列部材１２の中心導体用配列溝１１ａに中心導体５、外部導体用配列溝１１ｂに外部導体７を固定する（ステップＳ４）。
【００６９】
接着剤１３ａ，１３ｂを硬化させる際に、加熱すると共に、中心導体５と外部導体７を配列部材１２に押し付けるように加圧するようにしてもよい。加圧することによって、中心導体５と外部導体７とを夫々の配列溝１１ａ，１１ｂにより確実に固定することができる。
【００７０】
接着剤１３ａ，１３ｂの硬化は、接着剤１３ａ，１３ｂの種類（材質）にもよるが、熱風、赤外線やレーザを用いた加熱を行うと共に、高温に保持したブロック上に配列部材１２を載置して加熱することにより行うとよい。
【００７１】
その後、プリント基板３表面の所定の位置に形成された、中心導体用電極部１４および外部導体用電極部１５に、それぞれ接続材１６，１７を塗布する（ステップＳ５）。接続材１６，１７は、印刷法またはディスペンス法により中心導体用電極部１４、外部導体用電極部１５に塗布するとよい。
【００７２】
各電極部１４，１５に接続材１６，１７を塗布した後、配列部材１２に整列固定された中心導体５および外部導体７をプリント基板３の対応する電極部１４，１５に重ね合わせて配置して位置合せし（ステップＳ６）、接続部位を加熱して接続材１６，１７を溶融させて、電極部１４，１５にそれぞれ中心導体５、外部導体７を一括して電気的に接続する（ステップＳ７）。
【００７３】
中心導体５および外部導体７と、夫々に対応する電極部１４，１５とを接続材１６，１７で電気的に接続するとき、熱圧着と呼ばれる加熱と共に加圧する方式を用いてもよい。また、中心導体５と外部導体７の接続は、別々に行ってもよい。
【００７４】
以上により、多芯同軸ケーブル２の各同軸ケーブル４がプリント基板３に接続され、同軸ケーブルの接続構造１が形成される。
【００７５】
本実施の形態では、接続材１６，１７としてはんだや導電性接着剤を用いる場合について説明したが、接続材１６，１７として、異方導電性接着剤（異方導電性樹脂あるいは異方導電性フィルム）を用いるようにしてもよい。
【００７６】
中心導体５と中心導体用電極部１４とを電気的に接続する接続材１６に異方導電性接着剤を用いる場合、図７に示すように、複数の中心導体５を並列方向に繋いだ形で接続材１６を形成してもよい。この場合、中心導体５と電極部１４が対向する方向（図示上下方向）には、異方導電性接着剤に充填された導電性粒子が接触して導電性が得られる。中心導体５の並列方向（図示左右方向）では、各中心導体５間で占める絶縁性樹脂の割合が高くなり、並列方向の絶縁性を保つことができる。
【００７７】
上述のように、中心導体５と外部導体７の外形サイズには差異があり、外部導体７の外形サイズが大きいため、プリント基板３の対応する電極部１４，１５に導体５，７夫々を設置した場合、中心導体５と外部導体７の両者の軸が一致した状態で配列部材１２に固定されていると、電極部１４，１５表面から導体５，７の電極部１４，１５に対向する面までの距離に差異が生じ、中心導体５と中心導体用電極部１４との間隔が、外部導体７と外部導体用電極部１５との間隔より広くなる。このような状態で、中心導体５を中心導体用電極部１４に接続材１６で接続すると、接続後の接続材１６の厚さが、外部導体７と外部導体用電極部１５と接続する接続材１７の厚さより厚くなる。
【００７８】
接続材１６，１７に異方導電性接着剤を用いる場合、接続材１６，１７が厚くなると、充填された導電性粒子の接触箇所が増えることで抵抗が増加し、電気特性の低下を起こす場合がある。そのため、導体５，７を電極部１４，１５に接続材１６，１７で接続したときの厚さが厚くなる場合には、接続に用いる異方導電性接着剤に充填される導電性粒子のサイズ（粒径）を大きくするか、もしくは導電性粒子の充填量を増加することで、上記の抵抗増加を防ぐことができる。
【００７９】
本実施の形態では、中心導体５を中心導体用電極部１４に接続する接続材１６に用いる異方導電性接着剤に充填される導電性粒子のサイズを、外部導体７接続用の異方導電性接着剤に充填されている導電性粒子よりも大きくするか、もしくは、充填されている導電性粒子のサイズを同じにして、中心導体５接続用の異方導電性接着剤の導電性粒子の充填量を外部導体７用の接続材１７より多くする。これによって、中心導体５と中心導体用電極部１４との電気的接続を確実に行うことができる。
【００８０】
同軸ケーブルの接続構造１の作用を説明する。
【００８１】
本実施の形態に係る同軸ケーブルの接続構造１では、多芯同軸ケーブル２の各同軸ケーブル４の端末部を段剥きして中心導体５と外部導体７を露出させると共に、露出させた中心導体５と外部導体７を、配列部材１２に形成した配列溝１１ａ，１１ｂに、両導体５，７が配列部材１２の表面１２ａから突出するように整列配置させ、配列部材１２に整列配置された中心導体５と外部導体７を、プリント基板３に形成された対応する電極部１４，１５にそれぞれ電気的に接続している。
【００８２】
露出させた中心導体５と外部導体７を、配列部材１２に形成した配列溝１１ａ，１１ｂに整列配置させることで、中心導体５と外部導体７の整列配置が容易になり、特に中心導体５の中心導体用電極部１４との狭ピッチ接続、中心導体５と外部導体７の電極部１４，１５への一括接続が容易になり、健全な接続部を容易に得ることができる。
【００８３】
また、中心導体５と外部導体７を夫々対応する配列部材１２に形成した配列溝１１ａ，１１ｂに収納することで、中心導体５と外部導体７を夫々対応する電極部１４，１５に接続材１６，１７を介して接続する際に加えられる荷重が広範囲に分散されるようになる。これによって、中心導体５と外部導体７とが局所的な荷重によって押し潰され、断面形状が変形することを抑制できる。
【００８４】
また、両導体５，７が配列部材１２の表面１２ａから突出するように整列配置させることで、中心導体５や外部導体７をプリント基板３の電極部１４，１５に接続する際に、接続材１６，１７が中心導体５や外部導体７に接触する面積を確保できるため、接続信頼性を向上することができる。
【００８５】
すなわち、両導体５，７が配列部材１２の表面１２ａから突出するようにすることで、中心導体５と外部導体７を夫々対応する電極部１４，１５へ電気的に接続するために用いる接続材１６，１７が中心導体５と外部導体７、およびこれらに対応した電極部１４，１５の両方に濡れやすくなるため、接続を確実かつ容易におこなうことができるようになる。
【００８６】
さらに、熱圧着方式のような加圧して接続する方法では、中心導体５や外部導体７の表面が配列部材１２の表面１２ａから突出して露出していると、対向する両導体５，７と電極部１４，１５間に存在する接着材１６，１７に直接荷重を伝えることができるようになる。これによって、導体５，７と電極部１４，１５との接続信頼性を向上することができ、特に、接続材１６，１７に異方導電性接着剤（異方導電性樹脂や異方導電性フィルム）などを用いて接続する場合に、効果が得られる。
【００８７】
また、同軸ケーブルの接続構造１では、配列部材１２が単一部品から構成されているので、両導体５，７の整列固定作業や接続作業の作業効率が向上するだけでなく、部品点数を削減できると共に、接続部のサイズを小さくすることができ、同軸ケーブル４の高密度実装を容易に実施することができる。
【００８８】
なお、本実施の形態における同軸ケーブル４の端部４ａは、図５（ｂ）に示したように、配列部材１２で覆われ、中心導体５、外部導体７と電極部１４，１５との接続は、配列部材１２の外形の投影面内で実施される。そのため、中心導体５と外部導体７の接続部を配列部材１２で保護することができ、製造工程で工具や部品が接続部に接触することなどで発生する損傷を防ぐことができる。
【００８９】
また、同軸ケーブルの接続構造１では、配列部材１２として可とう性を有する絶縁性シートを用いている。これにより、同軸ケーブル４の端部４ａの中心導体５と外部導体７夫々の露出部をプリント基板３の対応する電極部１４，１５に接続する際に、中心導体５と外部導体７の外径サイズの差異による段差を吸収し、中心導体５と外部導体７の露出部を電極部１４，１５に直接もしくは接続材１６，１７を介して間接的に接触させることができる。
【００９０】
さらに、配列部材１２として可とう性を有する絶縁性シートを用いることで、例えば、中心導体５と電極部１４の接続面に夫々一様な面圧、接触状態をもたらすことができ、可とう性のないガラス製の硬質な溝付き部材などを用いて接続を行う場合に問題となる、接続部を構成する部材や接着材１６，１７などの寸法精度のばらつきに起因するいわゆる片当たりの問題が生じにくく、これにより懸念される接触不良の問題を容易に解決することができる。
【００９１】
また、配列部材１２に可とう性を有する絶縁性シートを用いることにより、同軸ケーブル４の中心導体５の狭ピッチ、一括接続が容易になるだけでなく、基台ごと研磨する方法を採用しないことから、中心導体５を構成する金属細線９のほぐれが少なくなり、また可とう性のないガラス製の硬質な溝付き部材を用いて接続する方法でないことから、金属細線９の断線や接触不良、短絡などの不具合の発生が少ない。これにより、健全な接続部を容易に得ることができる。なお、金属細線９の断線は、ガラス製の硬質な溝付き部材を用いた場合に、ほぐれた金属細線９が溝付き部材の溝と溝に挟まれたときに生じやすい。
【００９２】
さらに、可とう性を有する絶縁性シートからなる配列部材１２を用い、かつ、中心導体５と外部導体７のプリント基板３の電極部１４，１５への電気的接続を、両導体５，７が配列部材１２に形成された配列溝１１ａ，１１ｂに収納配列された状態で行うことで、上記した熱圧着方式などで接続する際に荷重が加えられたときに、両導体５，７が配列溝１１ａ，１１ｂに収納されているので、両導体５，７に直接過大な荷重が加わるのを低減することができる。また、外部導体７の接続に関して、従来の剛性の高い金属性グランドバーを用いた接続に比べて、加える荷重自体も低減することが可能である。したがって、熱圧着方式などで接続する際に、配列部材１２の配列溝１１ａ，１１ｂに収納配列された同軸ケーブル４の端部４ａが変形してしまうことを抑制できる。
【００９３】
また、接続材１６，１７として、はんだの代わりに異方導電性接着剤を用いることによって、接続時の温度をはんだより低減する事ができる。これによって、導体５，７接続時の同軸ケーブル４の端部４ａの温度上昇を抑えられるので、接続時の同軸ケーブル４の端部４ａの変形をより小さくすることが可能となる。
【００９４】
また、本実施の形態では、配列溝１１ａ，１１ｂに整列配置された中心導体５と外部導体７を、接着剤１３ａ，１３ｂにより配列部材１２に固定している。
【００９５】
同軸ケーブル４の中心導体５には、図３に示したように、金属細線９を撚り合わせた撚り線を用いる。中心導体５を内部絶縁体６と外部導体７から露出させると、中心導体５の露出後時間が経つと金属細線９がほぐれる場合がある。金属細線９にほぐれが発生すると、ほぐれた金属細線９が隣接する他の中心導体５に接触して短絡を生じさせ、電気的特性を損なう場合がある。本実施の形態では、露出した中心導体５を配列部材１２の中心導体用配列溝１１ａに接着剤１３ａで固定することによって、金属細線９のほぐれ発生を抑制することができるので、短絡により電気的特性を損なうことがない。中心導体５を複数本の金属細線９を撚り合わせた撚り線で構成することにより、特に曲げに強い同軸ケーブルの接続構造１を実現することができる。
【００９６】
さらに、同軸ケーブルの接続構造１では、中心導体用配列溝１１ａを、外部導体用配列溝１１ｂよりもその開口部が狭く、深さが浅く形成している。これによって、中心導体５と外部導体７の外形サイズの差異を吸収し、中心導体５と外部導体７の少なくとも一部分の表面が夫々配列部材１２の表面１２ａから突出して露出するようにすることができる。
【００９７】
また、本実施の形態に係る同軸ケーブルの接続方法によれば、同軸ケーブルの接続構造１を容易に形成することができる。
【００９８】
次に、本発明の他の実施の形態を説明する。
【００９９】
図８，９に示す同軸ケーブルの接続構造８１は、基本的な構成は図１〜図７に示した同軸ケーブルの接続構造１と同じであり、図８（ａ）に示すように、配列部材１２に形成された中心導体用配列溝１１ａと外部導体用配列溝１１ｂが、同一の開口幅と深さで形成されている点で異なる。配列溝１１ａ，１１ｂは、中心導体５の外形サイズより大きい外部導体７の外形サイズに対応して形成されている。このように、配列溝１１ａ，１１ｂの形状を同じにすることで、溝加工が容易となり、製造コストを低減する効果が得られる。
【０１００】
同軸ケーブルの接続構造８１では、配列溝１１ａ，１１ｂの内部に接着剤１３ａ，１３ｂを塗布し、中心導体５と外部導体７を整列した状態で配置した後、接着剤１３ａ，１３ｂを硬化させて固定する。この際、中心導体５と外部導体７の軸が配列部材１２に対向する方向（図８（ｂ）では上下方向）にずれるのを少なくするため、図８（ｃ）に示すように、中心導体５固定用の接着剤１３ａを外部導体７固定用の接着剤１３ｂよりも厚く形成する。
【０１０１】
また、中心導体５の表面の一部が、配列部材１２の表面１２ａから突出するようにする。この状態で、プリント基板３の対応する電極部１４，１５に夫々重ねて配置し、接続部位を加熱もしくは加熱加圧し、接続材１６，１７を介して、電極部１４，１５に夫々中心導体５および外部導体７を一括して電気的に接続する。
【０１０２】
図８（ｃ）に示したように、中心導体５と外部導体７の外形サイズの差異は、接着剤１３ａ，１３ｂの厚さの調整によって吸収できる。さらに、接着剤１３ａ，１３ｂの塗布量のばらつきや同軸ケーブル４の寸法のばらつきによって、プリント基板３の電極部１４，１５に接続する際に中心導体５と外部導体７に高さ方向の差異が生じても、配列部材１２を可とう性を有する材料で形成しているので、図９に示すように、高さ方向の差異に追随して配列部材１２が変形する。これによって、中心導体５と外部導体７と夫々対応する電極部１４，１５との接続を確実、かつ容易に行うことができる。なお、同軸ケーブルの接続構造８１においても、同軸ケーブルの接続構造１と同様に、中心導体５と外部導体７を整列配置でき、中心導体５を狭ピッチで接続でき、中心導体５と外部導体７の一括接続が可能であることは勿論である。
【０１０３】
同軸ケーブルの接続構造１，８１では、配列部材１２を、同軸ケーブル４の端部４ａで露出した中心導体５と外部導体７の両方を覆う図１０に示すようなシート状の部材で構成し、中心導体用配列溝１１ａと外部導体用配列溝１１ｂが連続して切れ目なく形成されている場合を説明したが、図１１（ａ），（ｂ）に示すように、配列部材１２の中心導体用配列溝１１ａと外部導体用配列溝１１ｂの境界部に、同軸ケーブル４の長手方向と直交する方向にスリット１１０を形成するようにしてもよい。スリット１１０は、図１１（ａ）に示すように、配列部材１２の両端（両側端部）２箇所に形成してもよいし、図１１（ｂ）に示すように、配列部材１２の両端と中央の３箇所に形成してもよい。
【０１０４】
スリット１１０を形成することで、配列部材１２の可とう性がより高くなるので、図９に示したように、中心導体５と外部導体７の外形サイズの差異に起因して、電極部１４，１５への接続によって配列部材１２が変形する場合に、その変形をより容易に実現することができる。換言すれば、スリット１１０を形成することで、同軸ケーブル４の端部４ａの中心導体５と外部導体７夫々の露出部をプリント基板３の対応する電極部１４，１５に接続する際に、中心導体５と外部導体７の外形サイズの差異による段差を吸収しやすくし、中心導体５と外部導体７の露出部を電極部１４，１５に直接もしくは接続部材１６，１７を介して間接的に接触させることができる。これによって中心導体５と外部導体７と、これら夫々に対応した電極部１４，１５との接続を容易にかつ確実に一括で行うことができる。
【０１０５】
図１２に示す同軸ケーブルの接続構造１２１は、基本的な構成は図１〜図７に示した同軸ケーブルの接続構造１と同じであり、図１２（ａ）に示すように、配列部材１２の外部導体用配列溝１１ｂの表面と、外部導体７を配列する部分の配列部材１２の表面１２ａとに、共通の導電性膜１２２を形成した点が異なる。
【０１０６】
同軸ケーブルの接続構造１２１では、図１２（ｂ）、（ｃ）に示すように、外部導体７を、配列部材１２の外部導体用配列溝１１ｂに形成した導電性膜１２２に、導電性の接着剤１３ｂを用いて固定すると共に電気的に接続することによって、外部導体７を外部導体用配列溝１１ｂの部分に整列、固定する。これにより、外部導体用配列溝１１ｂに配置されている複数の外部導体７同士の電気的導通をとることができる。
【０１０７】
導電性膜１２２は、通常電気めっき法により形成されるが、ディスペンス法により形成することも可能である。電気めっき法においては、例えば銅（Ｃｕ）、ニッケル（Ｎｉ）、金（Ａｕ）、錫（Ｓｎ）などのめっきを単独もしくは組み合わせて形成することができる。また、ディスペンス法においては、銀（Ａｇ）、ニッケル（Ｎｉ）などの金属粒子を充填して導電性接着剤を用いて形成することができる。
【０１０８】
複数の外部導体７を個々にプリント基板３の夫々対応する外部導体用電極部１５に接続する場合、両者の接続に用いる接続材１７の塗布ばらつきや濡れ不良、あるいは製造工程で発生する絶縁物が外部導体７と外部導体用電極部１５との間に異物として介在するなどによって、良好な電気的導通が図れなくなることが想定される。
【０１０９】
同軸ケーブルの接続構造１２１では、外部導体用配列溝１１ｂに形成した導電性膜１２２を介して外部導体７同士を電気的に接続することによって、外部導体７をプリント基板３の外部導体用電極部１５に接続材１７を介して接続した際に、外部導体７の形状ばらつきや接続材１７の塗布ばらつきなどによって、１本あるいは複数本の外部導体７が外部導体用電極部１５と電気的導通が取れない場合や、部分的な非導通箇所が存在する場合であっても、外部導体７全体として電気的導通がとれることになるので、電気的特性（シールド特性）が損なわれることがない。したがって、外部導体７の電気的導通不良を抑制し、プリント基板３の外部導体用電極部１５に確実に接続することができるようになり、同軸ケーブル４の確実なシールド効果を得ることができる。
【０１１０】
同軸ケーブルの接続構造１２１では、配列部材１２に外部導体用配列溝１１ｂを形成し、その表面に導電性膜１２２を形成する場合を説明したが、中心導体５を配列、固定するための中心導体用配列溝１１ａが配列部材１２に形成されていれば、中心導体５の配列にしたがって外部導体７も配列されることになるため、図１３に示すように、配列部材１２の外部導体用配列溝１１ｂを省略し、外部導体７を配列させる部分を平坦形状とし、その表面に導電性膜１２２を形成して外部導体７を導電性の接着剤１３ｂで接続、固定するようにしてもよい。
【０１１１】
このように外部導体７を配列させる部分を平坦形状とすることで、配列部材１２の構造を簡略化することができるため、配列部材１２の製造コストを低減することができる。なお、同軸ケーブルの接続構造１２１においても、中心導体５と外部導体７を整列配置でき、中心導体５を狭ピッチで接続し、中心導体５と外部導体７の一括接続が可能であることは勿論である。
【０１１２】
本発明は上記実施の形態に限定されるものではなく、本発明の要旨を逸脱しない範囲内で種々の変更を加え得ることは勿論である。
【符号の説明】
【０１１３】
１  同軸ケーブルの接続構造
２  多芯同軸ケーブル
３  プリント基板
４  同軸ケーブル
５  中心導体
６  内部絶縁体
７  外部導体
８  外部絶縁体
１１  配列溝
１１ａ  中心導体用配列溝
１１ｂ  外部導体用配列溝
１２  配列部材
１３ａ，１３ｂ  接着剤
１４  中心導体用電極部
１５  外部導体用電極部
１６，１７  接続材
【図１】
2010272400.tif 000003
【図２】
2010272400.tif 000004
【図３】
2010272400.tif 000005
【図４】
2010272400.tif 000006
【図５】
2010272400.tif 000007
【図６】
2010272400.tif 000008
【図７】
2010272400.tif 000009
【図８】
2010272400.tif 000010
【図９】
2010272400.tif 000011
【図１０】
2010272400.tif 000012
【図１１】
2010272400.tif 000013
【図１２】
2010272400.tif 000014
【図１３】
2010272400.tif 000015